(57)【要約】【課題】ウイング部形成材と本体部との固定部が肌に当たり難いとともに、ウイング部形成材を本体部に強固に固定することができ、吸収性物品の使用時に、ウイング部を引っ張ってもウイング部が本体部から取れ難い吸収性物品を提供すること。【解決手段】本発明の吸収性物品１は、表面シート２、裏面シート３及びこれら両シート間に配された吸収体４を具備する縦長の本体部５、及び該本体部５の両側端から延出する一対のウイング部６，６を有する。ウイング部６は、別体のウイング部形成材６２を用い、ウイング部形成材６２の本体部５側に位置する一側端６３側が表面シート２と裏面シート３との間に固定され、他側端６４側が表面シート２及び裏面シート３それぞれの側端２１，３１より外方に延出するように配されて形成されている。ウイング部形成材６２は、一側端６３側に、折り返された折り返し部６５を有している。【選択図】図１
2012120605.tif 000002
【特許請求の範囲】
【請求項１】
表面シート、裏面シート及びこれら両シート間に配された吸収体を具備する縦長の本体部、及び該本体部の長手方向の両側端から延出する一対のウイング部を有する吸収性物品であって、
前記ウイング部は、前記本体部の排泄対向領域に形成され、前記表面シート及び前記裏面シートとは別体のウイング部形成材を用い、該ウイング部形成材の前記本体部に位置する一側端側が前記表面シートと前記裏面シートとの間に固定され、他側端側が該表面シート及び該裏面シートそれぞれの側端より幅方向外方に延出するように配されて形成されており、
前記ウイング部形成材は、前記本体部に位置する一側端側に、折り返し部を有し、前記ウイング部形成材と前記表面シートとは、熱又は超音波により融着された融着部にて固定されており、該融着部と前記折り返し部とは重なっている吸収性物品。
【請求項２】
前記ウイング部形成材及び前記表面シートの前記融着部と前記折り返し部とが重なる重なり領域は、前記吸収体の長手方向の側端から幅方向外方に亘っている請求項１に記載の吸収性物品。
【請求項３】
前記折り返し部は、前記ウイング部形成材における前記本体部に位置する一側端側の自由端を前記裏面シート側に折り返して形成されており、
前記本体部の長手方向の側部に、前記ウイング部形成材における非折り返し部と前記裏面シートとがホットメルト型接着剤を介して連続的に接合された帯状接合部が、該本体部の長手方向に延びて形成されており、
前記ウイング部形成材と前記表面シートとの前記融着部は、前記帯状接合部より幅方向内側に配されている請求項１又は２に記載の吸収性物品。
【発明の詳細な説明】
【技術分野】
【０００１】
本発明は、生理用ナプキン、パンティライナー（おりものシート）、失禁パッド等の吸収性物品に関し、特にウイング部を有する吸収性物品（女性用吸収性物品）に関する。
【背景技術】
【０００２】
一般に、ウイング部を有する吸収性物品は、表面シート、裏面シート及びこれら両シート間に配された吸収体を具備する本体部及び該本体部の両側縁から延出する一対のウイング部を有しており、その使用時には、一対のウイング部を、裏面シート側に折り曲げ、折り曲げたウイング部を、ショーツのクロッチ部の非肌対向面等に粘着剤等で固定して使用する。
また、ウイング部に用いるシート材の使用量を低減する観点等から、ウイング部を有する吸収性物品として、表面シートや裏面シート等の原反とは異なる原反から、ウイング部に近い形状のウイング片を形成し、そのウイング片を、表面シートや裏面シート等の本体部の構成材料と接合し、本体部の両側部に固定した吸収性物品が提案されている。
【０００３】
このような本体部の両側部にウイング片を固定した吸収性物品として、例えば、特許文献１には、外方に延びるウィングを構成する第１の部分と、トップシート上に位置しサイドバリヤを構成する第２の部分とからなるピースを、吸収体本体のトップシート上に配した吸収体製品が記載されている。
【０００４】
しかしながら、特許文献１に記載の吸収体製品は、吸収体本体のトップシート上に前記ピースを接合して形成されているため、接合部が着用者の肌に当たってしまい、肌触りの観点から改良の余地があった。
【０００５】
また、特許文献２，３には、本体とは別体のウィング部材が、本体の両側部において、本体を構成するトップシートとバックシートとの間に挟まれ、トップシートとウィング部材、ならびにバックシートとウィング部材とが接着剤で接着されて形成された吸収性物品が記載されている。特許文献２，３に記載の吸収性物品は、ウィング部材が、トップシートとバックシートとの間で接着されているので、接着部が用者の肌に当たることを防止することができる。
【０００６】
しかしながら、特許文献２，３に記載の吸収性物品は、トップシートとウィング部材、ならびにバックシートとウィング部材とが接着剤で接着されているため、吸収性物品の使用時に、ウイング部材を引っ張るとウイング部材が本体から取れる場合があった。
【先行技術文献】
【特許文献】
【０００７】
【特許文献１】特許第３４１９４７６号公報
【特許文献２】特許第３７４８０１５号公報
【特許文献３】特許第４２３０４８０号公報
【発明の概要】
【発明が解決しようとする課題】
【０００８】
従って、本発明の課題は、前述した従来技術が有する欠点を解消し得る吸収性物品を提供することにある。
【課題を解決するための手段】
【０００９】
本発明は、表面シート、裏面シート及びこれら両シート間に配された吸収体を具備する縦長の本体部、及び該本体部の長手方向の両側端から延出する一対のウイング部を有する吸収性物品であって、前記ウイング部は、前記本体部の排泄対向領域に形成され、前記表面シート及び前記裏面シートとは別体のウイング部形成材を用い、該ウイング部形成材の前記本体部に位置する一側端側が前記表面シートと前記裏面シートとの間に固定され、他側端側が該表面シート及び該裏面シートそれぞれの側端より幅方向外方に延出するように配されて形成されており、前記ウイング部形成材は、前記本体部に位置する一側端側に、折り返し部を有し、前記ウイング部形成材と前記表面シートとは、熱又は超音波により融着された融着部にて固定されており、該融着部と前記折り返し部とは重なっている吸収性物品を提供するものである。
【発明の効果】
【００１０】
本発明の吸収性物品によれば、ウイング部形成材と本体部との固定部が肌に当たり難いとともに、ウイング部形成材を本体部に強固に固定することができ、吸収性物品の使用時に、ウイング部を引っ張ってもウイング部が本体部から取れ難い。
【図面の簡単な説明】
【００１１】
【図１】図１は、本発明の一実施形態である生理用ナプキンを表面シート側から見た平面図である。
【図２】図２は、図１のＹ１−Ｙ１線断面図である。
【図３】図３は、図１に示す生理用ナプキンを下着のクロッチ部に取り付けた使用状態の断面図である。
【発明を実施するための形態】
【００１２】
以下本発明をその好ましい実施形態に基づき図面を参照しながら説明する。
本発明の実施形態である生理用ナプキン１（以下、ナプキン１ともいう）は、図１及び図２に示すように、表面シート２、裏面シート３及びこれら両シート２，３間に配された吸収体４を具備する縦長の本体部５及び該本体部５の長手方向の両側端から延出する一対のウイング部６，６を有する。ここで、「長手方向の側端」とは、本体部５の幅方向（図１中Ｙ方向）の端に位置して、長手方向（図１中Ｘ方向）に沿って延びる部位を意味する。尚、後述する表面シート２、裏面シート３及び吸収体４の「長手方向の側端」も同様である。
本体部５は、図１中Ｘ方向に長い形状を有し、その裏面には、該本体部５を、ショーツのクロッチ部１０の肌対向面（着用者の肌側に向けられる面）に固定するための本体粘着部（図示せず）が形成されており、ウイング部６の裏面には、図２，図３に示すように、各ウイング部６を、ショーツのクロッチ部１０（図３参照）の非肌対向面（着用者の肌側とは反対側に向けられる面）に固定するためのウイング部粘着部６１が形成されている。クロッチ部１０の非肌対向面には、上層及び下層を有する二重構造のクロッチ部の下層側の面も含まれる。
【００１３】
本体部５は、図１に示すように、ウイング部６，６の位置する領域である中央部Ａ、ナプキン１の着用時に中央部Ａより着用者の腹側に配される前方部Ｂ、及びナプキン１の着用時に中央部Ａよりも着用者の背中側に配される後方部Ｃを有している。ナプキン１の着用時には、通常、本体部５の中央部Ａが、着用者の排泄部（膣口等）に対向配置される。言い換えれば、ウイング部６は、図１に示すように、本体部５の排泄対向領域（着用者の排泄部に対向する領域）に形成されている。
【００１４】
本体部５は、装着者の排泄部（膣口）に当接される排泄対向領域と該領域より前方部と後方部で形成され、該排泄対向領域にウイング部６が配置されている。ウイング部６は、昼用のナプキンのように、ナプキンの略中央部に形成される場合や、夜用ナプキンのように、前部と排泄対向領域、さらに後方には臀部を広く覆う後方領域が存在し、排泄対向領域はナプキンの長手方向中央線よりも前方に配置される場合が多い。
【００１５】
本体部５は、図２に示すように、液透過性の表面シート２、液不透過性又は撥水性の裏面シート３及びこれら両シート間に配された液保持性の吸収体４を具備する。
表面シート２、裏面シート３及び吸収体４は、何れも、本体部５の長手方向（Ｘ方向）に長い縦長の形状を有している。
【００１６】
本実施形態の表面シート２は、本体部５の前方部Ｂ及び後方部Ｃにおいては、本体部５の輪郭と一致する輪郭を有しており、本体部５の中央部Ａにおいては、前方部Ｂ及び後方部Ｃにおける本体部５の両側端の位置から該本体部５の幅方向（Ｙ方向）外方に延出し、その一部が、ウイング部６，６内に入り込んでいる。ウイング部６内に入り込んだ表面シート２の側端２１は、図１に示すように、後述する２重の防漏溝９，９の形状に対応するように、２重の防漏溝９，９と略対称形状に形成されており、幅方向（Ｙ方向）内方に凸に形成されている。
【００１７】
尚、中央部Ａにおける表面シート２の両側端２１，２１は、本実施形態においては、上述したように、幅方向（Ｙ方向）内方に凸に形成されているが、中央部Ａにおける表面シート２の両側端２１，２１が、前方部Ｂ及び後方部Ｃにおける表面シート２の両側端の位置と同位置であってもよく、ウイング部６内に入り込んだ表面シート２の側端２１が、ウイング部６の突出方向における基端と先端との間に位置して、本体部５の長手方向（Ｘ方向）に沿って直線状に延びていてもよい。表面シート２の側端２１の動きの自由度を低下させて表面シート２に皺等を発生することを抑制（漏れ防止、違和感低減の為）する観点からは、内方に凸とする又は側端２１と後述する融着部７の間隔が５ｍｍ以下であることが好ましい。
【００１８】
裏面シート３は、図１に示すように、本体部５の前方部Ｂ及び後方部Ｃにおいては、本体部５の輪郭と一致する輪郭を有しており、本体部５の中央部Ａにおいては、前方部Ｂ及び後方部Ｃにおける本体部５の両側端の位置から該本体部５の幅方向（Ｘ方向）外方に延出し、その一部が、ウイング部６，６内に入り込んでいる。ウイング部６内に入り込んだ裏面シート３の側端３１は、図１に示すように、ウイング部６の突出方向における基端と先端との間に位置して、本体部５の長手方向（Ｘ方向）に沿って直線状に延びている。
【００１９】
尚、中央部Ａにおける裏面シート３の両側端３１，３１は、本実施形態においては、上述したように、ウイング部６内に入り込んだ裏面シート３の側端３１が、本体部５の長手方向（Ｘ方向）に沿って延びているが、前方部Ｂ及び後方部Ｃにおける裏面シート３の両側端の位置と同位置であってもよい。使用時にウイング部６を折り返した形状での防漏性（裏面シート３が下着裏面に折り返されることによるウイング部６での汚れの貫通防止）の観点からは、ウイング部６に入り込んだ形態であることが好ましい。
【００２０】
吸収体４は、図１に示すように、本体部５の長手方向（Ｘ方向）に沿って延びる両側端４１，４１を有し、吸収体４の前後端は、ナプキン１及び本体部５の前後端よりやや内側に位置して湾曲形状を有している。
【００２１】
ナプキン１における一対のウイング部６は、図２に示すように、表面シート２及び裏面シート３とは別体の一対のウイング部形成材６２を用い、それぞれ、本体部５に位置する一側端６３側が、表面シート２と裏面シート３との間に固定され、他側端６４側が、表面シート２の側端２１及び裏面シート３の側端３１のそれぞれより幅方向（Ｙ方向）外方に延出するように配されて形成されている。本発明においては、ウイング部形成材６２が、本体部５に位置する一側端６３側に、折り返された折り返し部６５を有していることに特徴がある。
より詳細に説明すると、ウイング部形成材６２の折り返し部６５は、本実施形態においては、図１に示すように、ウイング部形成材６２における一側端６３側の自由端６６を裏面シート３側に折り返して形成されている。本実施形態のウイング部形成材６２は、図２に示すように、折り返し部６５の折り返し位置６７が、後述する２重の防漏溝９におけるＹ方向外方側の防漏溝９よりも、Ｙ方向外方に位置しており、折り返し部６５の自由端６６が、後述する帯状接合部８より内側に配されて折り返し部６５を形成している。折り返し部６５の折り返し位置６７は、図１に示すように、本体部５の長手方向（Ｘ方向）に沿って延びる直線状をなしており、本体部５の幅方向外方側に配される他側端（外側端）６４が、ウイング部６の輪郭に一致する形状を有している。ウイング部形成材６２は、本実施形態においては、図１に示すように、一側端６３側のＸ方向の長さＬ１が、ナプキン１のＸ方向の長さＬに比して短く、ナプキン１の長さＬに対して、２０〜８０％程度であることが好ましい。
【００２２】
表面シート２と裏面シート３との間に配され固定されたウイング部形成材６２の固定態様について、以下、説明する。
ウイング部形成材６２と表面シート２とは、熱又は超音波により融着された融着部７にて固定されており、図２に示すように、融着部７と折り返し部６５とは重なっている。具体的には、図２に示すように、表面シート２２の側端２１は、ウイング部形成材６２の折り返し部６５における折り返し位置６７よりもＹ方向外方に延在している。ウイング部形成材６２の折り返し部６５は、表面シート２の両側部の下に積層されている。この積層部分において、表面シート２とウイング部形成材６２とが融着されて、図１に示すように、本体部５の両側部に、それぞれ本体部５の長手方向に沿って延びる一対の融着部７，７が形成されている。
【００２３】
融着部７は、熱（ヒートシール）又は超音波（超音波シール）による融着加工を、ウイング部形成材６２と表面シート２との積層部分に施すことにより形成されている。融着部７は、折り返し部６５の一部と少なくとも重なっていればよいが、本実施形態においては、Ｙ方向における融着部７の全幅（Ｗ１）が折り返し部６５上にあり、融着部７の全域で折り返し部６５と重なっている。その為、融着部分の融着強度を高める事ができ、ウイング部６の折返し等の操作時にウイング部材がナプキン本体から剥がれることが抑制される。
【００２４】
融着部７は、ナプキン１においては、後述する帯状接合部８とほぼ平行に、Ｘ方向に間欠的に形成されているが、連続直線状に形成されていてもよく、連続波状に形成されていてもよい。幅方向（Ｙ方向）への引張力による剥離抵抗性の観点からは、連続波状に形成されていることが好ましく、融着部分の硬さの抑制の観点からは、間欠的に形成されていることが好ましい。
長手方向に間欠的に形成する個々の融着部７の形状は、ナプキン１においては、矩形状であるが、小円状、円弧状等であってもよい。
【００２５】
融着部７の全幅（Ｗ１）は、幅方向（Ｙ方向）への引張力による剥離抵抗性の観点から、１〜７ｍｍであることが好ましく、より好ましくは２〜６ｍｍ、更に好ましくは３〜５ｍｍである。
また、折り返し部６５の全幅（Ｗ２）は、吸収体４の側方で液の拡散を抑制する防漏性向上の観点から、６〜１３ｍｍであることが好ましく、より好ましくは７〜１２ｍｍ、更に好ましくは８〜１１ｍｍである。
また、融着部７と折り返し部６５とが重なる重なり領域（Ｗ３）は、融着部７の硬さ抑制と融着部７の強度安定性の観点から、１〜７ｍｍであることが好ましく、より好ましくは２〜６ｍｍ、更に好ましくは３〜５ｍｍである。
折り返し部６５の全幅（Ｗ２）に対する重なり領域（Ｗ３）の比（Ｗ３／Ｗ２）は、融着部７の融着強度と吸収体４の側方の防漏性の観点から０．１〜０．６であることが好ましく、０．２〜０．６であることが更に好ましい。
【００２６】
また、液の滲み出し防止の観点から、融着部７は、本体部５の長手方向において、ウイング部６の全長（Ｘ方向の全長）に亘っていることが好ましく、ウイング部６の長さを超えて、前方部Ｂから後方部Ｃに亘っていることが更に好ましい。融着部７の全長Ｌ２は、例えば、ウイング部６の長さＬ３の１２０〜１８０％とすることができ、より好ましくは、ウイング部６の長さＬ３の１３０〜１７０％である。
【００２７】
ナプキン１においては、本体部５の長手方向（Ｘ方向）の側部に、ウイング部形成材６２における非折り返し部と裏面シート３とがホットメルト型接着剤８１を介して連続的に接合された帯状接合部８が、本体部５の長手方向（Ｘ方向）に延びて形成されている。詳述すると、ウイング部形成材６２は、本実施形態においては、図２に示すように、融着部７より外方であって、ウイング部６内に入り込んだ裏面シート３の側端３１より内方において、ホットメルト型接着剤８１を介して接合されている。このホットメルト型接着剤８１は、本体部５の長手方向に沿って連続的に配されており、このホットメルト型接着剤８１による、ウイング部形成材６２と裏面シート３との接合により、本体部５の両側部に、それぞれ本体部５の長手方向に沿って延びる一対の帯状接合部８，８が形成されている。帯状接合部８は、本実施形態においては、本体部５、より詳細には、ウイング部６をショーツのクロッチ部１０に固定する際の折り曲げ線Ｐの位置より外方側に形成されている。
【００２８】
このホットメルト型接着剤８１を用いた帯状接合部８の存在により、吸収体４に吸収された液（経血等）が、ウイング部形成材６２と裏面シート３との間又はウイング部形成材６２中を通って滲み出すことが効果的に防止され、それにより、漏れ出した液による下着や肌の汚染を防止することができる。
特に、折り曲げ線Ｐの位置より外方側に帯状接合部８が配されているため、吸収体４に吸収された体液の吸収体４の側端４１からのにじみを効果的に防止することができる。
【００２９】
なお、本体部５の中央部Ａにおいて、帯状接合部８（ホットメルト型接着剤８１）と吸収体４の側端４１との間の距離Ｔ１は、ウイング部６の折返し易さと吸収体４の側端から一時的に液が染み出せる（ウイング材の折返し部分のない）自由空間減少の観点から、１３ｍｍ以下であることが好ましく、より好ましくは５〜１２ｍｍ、更に好ましくは７〜１１ｍｍである。
【００３０】
液の滲み出し防止の観点から、帯状接合部８を形成するホットメルト型接着剤８１の幅Ｗ４（図２参照）は、１ｍｍ以上であることが好ましく、より好ましくは２ｍｍ以上、更に好ましくは４ｍｍ以上である。他方、ナプキン１の動きへの追従性向上の観点から、ホットメルト型接着剤８１の前記幅Ｗ４は、７ｍｍ以下であることが好ましく、より好ましくは５ｍｍ以下である。
【００３１】
また、液の滲み出し防止の観点から、帯状接合部８を形成するホットメルト型接着剤８１の塗工坪量は、１５ｇ／ｍ2であることが好ましく、より好ましくは２０ｇ／ｍ2以上、更に好ましくは２５ｇ／ｍ2以上である。他方、ホットメルト型粘着剤８１の材料への固定性（接着面幅拡大、材料への含侵度合い）向上による硬さの抑制の観点から、ホットメルト型接着剤８１の塗工坪量は、５０ｇ／ｍ2以下であることが好ましく、より好ましくは３５ｇ／ｍ2以下である。
【００３２】
また、液の滲み出し防止の観点から、帯状接合部８は、図１に示すように、本体部５の長手方向において、ウイング部６の全長（Ｘ方向の全長）に亘っていることが好ましい。尚、中央部Ａにおける裏面シート３の両側端３１，３１が、前方部Ｂ及び後方部Ｃにおける裏面シート３の両側端の位置と同位置である場合には、帯状接合部８は、ウイング部６の長さを超えて、前方部Ｂから後方部Ｃに亘っていることがより好ましい。帯状接合部８の全長Ｌ４は、例えば、ウイング部６の長さＬ３の８０〜１００％とすることができ、より好ましくは、ウイング部６の長さＬ３の９０〜１００％である。
【００３３】
ナプキン１においては、図１に示すように、ウイング部６の位置する領域（中央部Ａ）に、表面シート２と吸収体４とを熱エンボス加工により一体的に圧縮して形成された２重の防漏溝９を備えている。２重の防漏溝９それぞれは、図１に示すように、幅方向外方に凸状に形成されている。２重の防漏溝９によって、図２に示すように、吸収体４に、左右の防漏溝９間に挟まれた厚みの厚い部分と、その両側に位置する厚みの薄い部分とが形成されている。この厚みの薄い部分は、厚みの厚い部分に比べて、吸収体４の密度が高くなっており、剛性も高くなっている。その為、吸収体４中の液（経血等）が、の吸収容量が減少し、同じ構造部分での広がりや防漏溝９に沿った拡散によって長手方向（Ｘ方向）に拡散して側方に流れ出しにくくなり、結果として吸収体４の側方に至る液量を減少できるため、ウイング部形成材６２と裏面シート３との間又はウイング部形成材６２中を通って液が滲み出すことが一層効果的に防止される。
【００３４】
ナプキン１においては、図２に示すように、ウイング部形成材６２及び表面シート２の融着部７と、折り返し部６５とが重なる重なり領域Ｗ３が、吸収体４の長手方向の側端４１から幅方向（Ｙ方向）外方に亘っている。詳述すると、本実施形態のウイング部形成材６２は、図２に示すように、折り返し部６５の折り返し位置６７が、２重の防漏溝９におけるＹ方向外方側の防漏溝９よりも、Ｙ方向外方に位置し、吸収体４の側端４１よりも、Ｙ方向内方に位置しており、折り返し部６５の自由端６６が、帯状接合部８より内側に配されて折り返し部６５を形成している。このように形成された折り返し部６５に融着部７が形成されており、折り返し部６５と融着部７との重なり領域Ｗ３が、Ｙ方向において、吸収体４の側端４１の内方から外方に亘っており、Ｘ方向において、吸収体４の側端４１に沿って連続的に形成されている。
【００３５】
ナプキン１においては、図２に示すように、ウイング部形成材６２及び表面シート２の融着部７は、折り返し部６５の折り返し位置６７寄りに配されている。具体的には、折り返し部６５は、本実施形態においては、融着部７よりもＹ方向外方側の折り返し部６５の方が、融着部７よりもＹ方向内方側の折り返し部６５に比べて長く形成されている。従って、折り返し部６５の自由端６６が、吸収体４の側端４１と帯状接合部８との間の空間を自由に移動し易い。このような観点から、可能な限り折り返し位置６７寄りに配されていることが好ましく、折り返し部６５の折り返し位置６７から吸収体４の側端４１を跨ぐ位置に至るまで融着部７が形成されていることが特に好ましい。
【００３６】
また、本実施形態のナプキン１は、図１に示すように、その周縁部に、裏面シート３と、ウイング部形成材６２及び／又は表面シート２との間が、熱エンボス加工によって接合された周縁シール部１１を有している。
【００３７】
上述したナプキン１の製造方法は、当業者が考え得る任意の方法により製造することができるが、例えば、一枚の帯状シートから左右のウイング部形成材６２を切り出し、それらのウイング部形成材６２の側部を折り返して折り返し部６５を形成し、折り返し部６５の形成されたウイング部形成材６２を、表面シート２の帯状原反の両側部にそれぞれヒートシール等により接合した後、その複合シートに吸収体４を乗せ、２重の防漏溝９に対応する形状の凸部を有するエンボスロール間に通して２重の防漏溝９を形成した後、その上に、ホットメルト型接着剤８１を塗工した裏面シート３の帯状原反を積層し、加圧及び周縁部のシールを行うことで、製造することができる。ホットメルト型接着剤８１は、表面シート２の帯状原反側に塗工し、それに、ホットメルト型接着剤８１を塗工していない裏面シート３の帯状原反を重ねて接合することもできる。尚、エンボスロール間に通して厚みのある吸収体４をエンボスする際に、エンボスロールが２重の防漏溝９に対応する形状の凸部を有するため、２重の防漏溝９に対応して、中央部Ａにおける表面シート２の側端２１が縮み、側端２１が幅方向内方に凸となる。
【００３８】
上述したナプキン１の形成材料について説明する。
表面シート２、裏面シート３、吸収体４としては、生理用ナプキン等の吸収性物品において従来用いられている各種の材料などを特に制限なく用いることができる。
例えば、表面シート２としては、単層又は多層構造の不織布や、開孔フィルム等を用いることができる。裏面シート３としては、液不透過性又は撥水性の樹脂フィルムや樹脂フィルムと不織布の積層体等を用いることができる。吸収体４としては、パルプ繊維等の繊維の集合体（不織布であっても良い）又はこれに吸水性ポリマーの粒子を保持させてなる吸収性コアを、透水性の薄紙や不織布からなるコアラップシートで被覆したものや、各種公知のポリマーシート等を用いることができる。
【００３９】
ウイング部形成材６２としては、単層又は多層の不織布や、該不織布と樹脂フィルムとの積層体等を用いることができる。単層の不織布としては、例えば、スパンボンド不織布、エアスルー不織布等が挙げられ、多層の不織布としては、スパンボンド−メルトブロー複合不織布（ＳＭ、ＳＭＳ）や、エアスルー不織布とスパンボンド不織布の複合シート、エアスルー不織布とスパンボンド−メルトブロー複合不織布の複合シート等が挙げられる。
帯状接合部７を形成するためのホットメルト型接着剤としては、弾性を有するポリマー成分であるスチレンーブタジエン系やスチレンーイソプレン系のもの、また常温（体温相当）で粘着性がほとんど無い低タック性のホットメルト等が挙げられるが、動きにおける追従性の点から、弾性のある樹脂組成を有することが好ましく、それらの中でも、接合の維持の点から、タック性を有する接着剤が好ましい。
【００４０】
また、本発明の吸収性物品においては、本体部５における吸収体４と裏面シート３との間も接着剤によって接合することが好ましい。但し、この接着剤は、スパイラルパターン等のパターン塗工や、帯状接合部８を形成するホットメルト型接着剤８１よりも低坪量に塗工することが好ましい。
【００４１】
上述した本発明の吸収性物品の実施形態であるナプキン１（以下、「ナプキン１」ともいう。）を使用した際の作用効果について説明する。
ナプキン１のウイング部６は、図１，図２に示すように、ウイング部形成材６２の一側端６３側を表面シート２と裏面シート３との間に固定して形成されているので、ウイング部形成材６２と本体部５との固定部が肌に当たり難い。また、ウイング部形成材６２は、一側端６３側に、折り返された折り返し部６５を有しているので、ナプキン１の使用時に、ウイング部６を引っ張ってもウイング部６が本体部５から取れ難い。
【００４２】
また、ナプキン１のウイング部６は、図２に示すように、融着部７と折り返し部６５とは重なっている。即ち、ウイング部形成材６２が２重に重なっている折り返し部６５に、融着部７が形成されているので、ウイング部６を強固に固定することができ、ナプキン１の使用時に、ウイング部６を引っ張ってもウイング部６が本体部５から更に取れ難い。
【００４３】
また、ナプキン１においては、融着部７と折り返し部６５とが重なる重なり領域（Ｗ３）が、図２に示すように、吸収体４の長手方向の側端４１ま跨いでいる。融着部７を形成する融着加工は、表面シート２及びウイング部形成材６２に含まれる合成樹脂を溶融固化させて形成されているため、剛性が高くなっている。このように剛性の高い融着部７が、一般的にヨレの発生し易い吸収体４の長手方向の側端４１に跨って配されているため、吸収体４のヨレを効果的に防止することができる。特に、ナプキン１においては、図１に示すように、ウイング部６の位置する領域（中央部Ａ）に、幅方向外方に凸状に形成された２重の防漏溝９を備えており、吸収体４の側端４１近傍の剛性も高くなっている。その為、更に、吸収体４の側端４１からのヨレを効果的に防止することができる。
【００４４】
また、ナプキン１は、図１，図２に示すように、融着部７が折り返し部６５の折り返し位置６７寄りに配されており、折り返し部６５の自由端６６が、吸収体４の側端４１と帯状接合部８との間の空間を自由に移動することができる。このような自由端６６を有することにより、ナプキン１の使用時に、図３に示すように、ウイング部６を引っ張ると、自由端６６を軸に、ウイング部形成材６２の折り返し部６５が立ち上がり易く、吸収体４の側端４１と帯状接合部８との間にウイング材により表面シート２側が覆われた（塞がれた）空間を形成することができる。このように形成された空間により、吸収体４の側端４１からの体液のにじみ出しを効果的に防止することができる。
【００４５】
本発明は、上述した実施形態に何ら制限されるものではなく、適宜変更可能である。
例えば、上述のナプキン１においては、図２に示すように、ウイング部形成材６２における一側端６３側の自由端６６を裏面シート３側に折り返して折り返し部６５を形成しているが、自由端６６を表面シート２側に折り返して折り返し部６５を形成してもよい。また、ウイング部形成材６２は、図１に示すように、一側端６３側のＸ方向の長さＬ１が、ナプキン１のＸ方向の長さＬに比して短いものであるが、一側端６３側がナプキン１の全長に亘って形成されており、一側端６３側のＸ方向の長さＬ１が、ナプキン１のＸ方向の長さＬと同じ長さであってもよい。
【００４６】
また、ウイング部６は、粘着部６１を介してショーツのクロッチ部１０に固定するものに限られず、機械的面ファスナーのオス部材からなる係合部を用いてクロッチ部１０に固定するものや、粘着部や機械的面ファスナーからなる係合部を介してウイング部同士を連結して固定するもの等であっても良い。また、本発明の吸収性物品は、生理用ナプキンの他、パンティライナー（おりものシート）、失禁パッド等であっても良い。
また、表面シート２として、全域が液透過性のものに代えて、液透過性の中央シートの両側それぞれに、撥水性の不織布からなるサイドシートが連結した構成の複合シートを用いることもできる。
【符号の説明】
【００４７】
１  生理用ナプキン（吸収性物品）
２  表面シート
２１  表面シートの側端
３  裏面シート
３１  裏面シートの側端
４  吸収体
４１  吸収体の側端
５  本体部
６  ウイング部
６１  ウイング部粘着部
６２  ウイング部形成材
６３  一側端（Ｙ方向の内側の端），６４  他側端（Ｙ方向の外側の端）
６５  折り返し部
６６  自由端
６７  折り返し位置
７  融着部
８  帯状接合部
８１  ホットメルト型接着剤
９  防漏溝
１０  ショーツのクロッチ部
Ａ  中央部（左右にウイング部を有する部分）
Ｂ  前方部
Ｃ  後方部
Ｐ  折り曲げ線
【図１】
2012120605.tif 000003
【図２】
2012120605.tif 000004
【図３】
2012120605.tif 000005